(57)【要約】【課題】  ブラシの冷却を充分に行うことができると共に、コンパクト化、更に、送風効率を低下することのない電動送風機を提供する。【解決手段】  電動送風機の外部の空気は、ファンカバーの空気流入口から掃除機内へ流入し、ファン１、整流板５を出た空気は、整流板５とモータケース１５の間に斜めに保持されたブラシ９及びブラシスリーブ１０に吹きつけられ、ブラシ９の冷却を充分に行いモータケース４の空気流通用開口から掃除機外へ流出する。ブラシスリーブ１０は斜めに整流子に圧接されて配置されているので、ファン１及び整流板５の空気の流れをブラシスリーブ１０が妨げることが少ないので、送風効率の低下をなくすることができる。また、モータケース４の後方の周壁後部にブラシホルダー及びブラシスリーブ１０を設ける必要がないので、電動送風機のコンパクト化を図ることができる。【選択図】      図１
2005090467.tif 000002
【特許請求の範囲】
【請求項１】
空気吸引用ファンと、該ファンを覆うファンケースと、ファンの後方に設けられ、ファン駆動用モータを支持するモータケースと、ファンとモータとの間に設けられファンにより発生した空気流を整流した後にモータケース内へ送り出す整流板とを備え、モータを構成するステータと該ステータの内部に配されたロータと、該ロータに連なってロータのファン側に配された整流子とを具備し、ブラシスリーブを介した棒状のブラシが斜めに整流子に圧接されて配置されていることを特徴とする電動送風機。
【請求項２】
空気吸引用ファンと、該ファンを覆うファンケースと、ファンの後方に設けられ、ファン駆動用モータを支持する樹脂製のモータケースと、ファンとモータとの間に設けられファンにより発生した空気流を整流した後にモータケース内へ送り出す整流板とを備え、モータを構成するステータと該ステータの内部に配されたロータと、このロータに連なってロータのファン側に配された整流子とを具備し、ブラシスリーブを介した棒状のブラシが整流板と樹脂製のモータケースに挟まれて保持され、斜めに整流子に圧接されていることを特徴とする電動送風機。
【請求項３】
前記ブラシスリーブはその外方端面が前記整流板の外縁部を越えることなく、モータケースの方向に斜めに形成されていることを特徴とする請求項１又は請求項２記載の電動送風機。
【発明の詳細な説明】
【技術分野】
【０００１】
本発明は電気掃除機等に使用する電動送風機に関する。
【背景技術】
【０００２】
従来、電気掃除機等に内蔵する電動送風機は、図３に示すようなものか知られている。１はファン、２はファンケース、３はモータ、４はモータケース、５は整流板、６はステータ、７はロータ、８は整流子、９はブラシ、１０はブラシスリーブ、１１はブラシホルダー、１２はコイルバネ、１３は空気流通用開口である。
【０００３】
このような電動送風機にあっては、電動送風機の外部の空気は、ファンカバーの空気流入口から掃除機内へ流入し、ファン１、整流板５及びモータケース４の内部を経て、モータケース４の空気流通用開口１３から掃除機外へ流出する。
【０００４】
そして、整流板５を出た空気は、ステータ６のコアを通って暖められた後に、ブラシスリーブ１０やブラシホルダー１１に吹きつけられる。このため、ブラシの冷却が充分には行われず、ブラシの寿命が短くなるという問題点があった。
【０００５】
更に、このタイプの電動送風機にあっては、図３に示すように、モータケース４の後方の周壁後部にブラシホルダー１１が一部突出状に取り付けられ、そのブラシホルダー１１にブラシスリーブ１０の外方側部分が外方に突出状に保持されている。
【０００６】
このため、モータケース４の周壁後部においてブラシホルダー１１及びブラシスリーブ１０の各一部が外方へ突出しており、電動送風機のコンパクト化を阻害するという問題点があった。
【０００７】
そこで、ブラシ９をロータ７のファン側に配置することで電動送風機のコンパクト化を図るものを、本出願人は既に提案している（特許文献１参照）。そのようなタイプの電動送風機の概要を図４に示す。図において、２はファンケース、３はモータ、９はブラシ、１０はブラシスリーブ、１１はブラシホルダー、１４はブラシ交換作業のための切欠開口である。
【０００８】
このような電動送風機では、ブラシスリーブ１０を整流板５に近づけるために、整流板５の裏面に形成された排気通路を通るファン１からの風をブラシスリーブ１０が妨げるため、送風効率が低下する問題があった。また、ブラシ交換作業のための開口部１４を設けるため、機械的強度か弱くなると言う問題もあった。
【０００９】
【特許文献１】特開平７−１８９９９７号公報
【発明の開示】
【発明が解決しようとする課題】
【００１０】
このように、モータケースの後方の周壁後部にブラシホルダーを一部突出状に取り付けるタイプの電動送風機では、ブラシの冷却が充分には行われず、ブラシの寿命か短くなるという問題点と電動送風機のコンパクト化を阻害するという問題点があった。また、ブラシをロータのファン側に配置するタイプの電動送風機は送風効率が低下する問題があった。そこで、本発明は、上記のような実情の鑑みてなされたものであり、ブラシの冷却を充分に行うことができると共に、コンパクト化、更に、送風効率を低下することのない電動送風機を提供することを目的とする。
【課題を解決するための手段】
【００１１】
上記課題を解決するために、本発明の請求項１に係る電動送風機は、空気吸引用ファンと、該ファンを覆うファンケースと、ファンの後方に設けられ、ファン駆動用モータを支持するモータケースと、ファンとモータとの間に設けられファンにより発生した空気流を整流した後にモータケース内へ送り出す整流板とを備え、モータを構成するステータと該ステータの内部に配されたロータと、該ロータに連なってロータのファン側に配された整流子とを具備し、ブラシスリーブを介した棒状のブラシが斜めに整流子に圧接されて配置される構成とした。
【００１２】
こうして、本発明の電動送風機は、モータの整流子はロータの前方（上流側）、例えば、モータケース内部の前方端部寄り箇所に配置され、ブラシは整流子に斜めに圧接されている。従って、ブラシの冷却を充分に行うことができると共に、コンパクト化し、更に送風効率を低下しない形態を図ることができる。また、ブラシを斜めに圧接しているため、接触面積が大きくなり、ブラシの電流密度が低くなるので、整流子でのスインチングの火花が小さくなり、耐久寿命が延びる等のメリットがある。
【００１３】
本発明の請求項２に係る電動送風機は、空気吸引用ファンと、該ファンを覆うファンケースと、ファンの後方に設けられ、ファン駆動用モータを支持する樹脂製のモータケースと、ファンとモータとの間に設けられファンにより発生した空気流を整流した後にモータケース内へ送り出す整流板とを備え、モータを構成するステータと該ステータの内部に配されたロータと、このロータに連なってロータのファン側に配された整流子とを具備し、ブラシスリーブを介した棒状のブラシが整流板と樹脂製のモータケースに挟まれて保持され、斜めに整流子に圧接されるように構成した。
【００１４】
こうして、本発明の電動送風機は、モータの整流子はロータの前方（上流側）、例えば、モータケース内部の前方端部寄り箇所（ロータのファン側）に配置され、かつ、ブラシスリーブはファンケース内の整流板と樹脂製のモータケースに挟まれて保持され、ブラシは整流子に斜めに圧接されている。従って、ブラシの冷却を充分に行うことができると共に、コンパクト化が図られ、更に送風効率を低下しない形態を図ることができる。そして、ブラシを斜めに圧接しているため、接触面積が大きくなり、ブラシの電流密度が低くなるので、整流子でのスイッチングの火花が小さくなり、耐久寿命が延びるなどのメリットもある。
【００１５】
本発明の請求項３に係る電動送風機は、前記請求項１又は請求項２に記載の電動送風機において、前記ブラシスリーブはその外方端面が前記整流板の外縁部を越えることなく、モータケースの方向に斜めに形成されている構成とした。
【００１６】
こうして、本発明の電動送風機は、モータの整流子はロータの前方（上流側）、例えば、モータケース内部の前方端部寄り箇所（ロータのファン側）に配置され、かつ、ブラシスリーブはファンケース内の整流板とモータケースに挟まれて保持され、ブラシは整流子に斜めに圧接されている。従って、ブラシの冷却を充分に行うことができると共に、ブラシスリーブが整流板の外縁部を越えることがなく、はみ出ることがないので、コンパクト化が図られる。
【発明の効果】
【００１７】
以上のように本発明の電動送風機は、モータの整流子はロータの前方（上流側）、例えば、モータケース内部の前方端部寄り箇所（ロータのファン側）に配置され、ブラシは整流子に斜めに圧接されている。従って、ブラシの冷却を充分に行うことができると共に、コンパクト化が図られ、更に送風効率を低下しない形態を図ることができる。そして、ブラシを斜めに圧接しているため、接触面積が大きくなり、ブラシの電流密度が低くなるので、整流子でのスイッチングの火花が小さくなり、耐久寿命が延びるなどのメリットがある。また、ブラシスリーブをファンケース内の整流板と樹脂製のモータケースに挟んで保持する構成とすることにより、機構的にも簡単となり安定に保持することができる。
【発明を実施するための最良の形態】
【００１８】
本発明の電動送風機の実施形態について図１、図２により説明する。図１には本発明の第１の実施形態である電動送風機の部分断面図を示す。図１において、図４と同一物には同じ符号を付している。即ち、１はファン、２はファンケース、４は通常のアルミ等によるモータケース、５は整流板、６はステータ、７はロータ、８は整流子、９は棒状のブラシ、１０はブラシスリーブ、１５はモータケースである。ブラシスリーブ１０は整流板５とモータケース１５の間に保持され、斜めに整流子に圧接されて配置されている。
【００１９】
このような電動送風機にあっては、電動送風機の外部の空気は、ファンカバーの空気流入口から掃除機内へ流入し、ファン１、整流板５を出た空気は、ブラシ９及びブラシスリーブ１０に吹きつけられ、ブラシ９の冷却を充分に行い、モータケース４の内部を経て、モータのステータ６及びロータ７のコアを冷却した後、モータケース４の空気流通用開口から掃除機外へ流出する。
【００２０】
ブラシスリーブ１０は整流板５とモータケース１５の間に斜めに配置されているので、ファン１及び整流板５の空気はその外周部の吹き出し口から障害なく吹き出され、その流れをブラシスリーブ１０によって乱し、かつ妨げることがないので送風効率を低下させることはない。
【００２１】
このように、本発明の電動送風機では、モータケース４の後方の周壁後部にブラシホルダー及びブラシスリーブ１０を設ける必要がないので、電動送風機のコンパクト化を図ることができる。また、ブラシの冷却を充分に行うことができると共に、送風効率を低下しない形態を図ることができる。そして、ブラシを斜めに圧接しているため、接触面積が大きくなり、ブラシの電流密度が低くなるので、整流子でのスイッチングの火花が小さくなり、耐久寿命が延びるなどのメリットがある。
【００２２】
次に、本発明の第２の実施形態である電動送風機の要部の分解斜視図を図２に示す。図２において、図１と同一物には同じ符号を付している。即ち、５は整流板、６はステータ、７はロータ、８は整流子、９は棒状のブラシ、１０はブラシスリーブ、１６は樹脂製のモータケースである。ブラシスリーブ１０は整流板５と樹脂製のモータケース１６に挟まれて保持され、斜めに整流子に圧接されて配置されている。
【００２３】
このような電動送風機にあっては、電動送風機の外部の空気は、ファンカバーの空気流入口から掃除機内へ流入し、ファン（図示せず）を経て整流板５を出た空気は、整流板５と樹脂製のモータケース１６に挟まれて保持されたブラシ９及びブラシスリーブ１０に吹きつけられ、ブラシ９の冷却を充分に行い、モータケース（図示なし）の内部を経て、モータのステータ６及びロータ７のコアを冷却した後、モータケースの空気流通用閉口から掃除機外へ流出する。
【００２４】
ブラシスリーブ１０はファンケース内の整流板５と樹脂製のモータケース１６の間に挟んで保持し斜めに配置した構成とすることにより、機構的にも簡単となり安定に保持すると共に、ファン１及び整流板５の空気の流はその外周部の吹き出し口から障害なく吹き出され、その流れをブラシスリーブ１０によって乱し、かつ妨げることがないので送風効率を低下させることはない。また、ブラシ交換作業のための切欠開口部を設ける必要がないので、機械的強度を弱めることもない。
【００２５】
このように、本発明の電動送風機では、モータケース４の後方の周壁後部にブラシホルダー及びブラシスリーブ１０を設ける必要がないので、電動送風機のコンパクト化を図ることができる。また、ブラシの冷却を充分に行うことができると共に、送風効率を低下しない形態を図ることができる。そして、ブラシを斜めに圧接しているため、接触面積が大きくなり、ブラシの電流密度が低くなるので、整流子でのスイッチングの火花が小さくなり、耐久寿命が延びるなどのメリットがある。
【産業上の利用可能性】
【００２６】
本発明の電動送風機は電気掃除機に組み込む例を述べたが、掃除機に限ることなく、他の装置に組み込む電動送風機にも適用できるし、ファン以外の負荷を駆動する電動機にも応用できる。
【図面の簡単な説明】
【００２７】
【図１】本発明の電動送風機の部分断面図。
【図２】本発明の他の電動送風機の分解斜視図。
【図３】従来の電動送風機の部分断面図。
【図４】従来の他の電動送風機の部分断面図。
【符号の説明】
【００２８】
１            ファン
２            ファンケース
３            モータ
４            モータケース
５            整流板
６            ステータ
７            ロータ
８            整流子
９            ブラシ
１０          ブラシスリーブ
１１          ブラシホルダー
１２          コイルバネ
１３          空気流通用開口
１４          開口部
１５          モータケース
１６          樹脂製のモータケース
【図１】
2005090467.tif 000003
【図２】
2005090467.tif 000004
【図３】
2005090467.tif 000005
【図４】
2005090467.tif 000006